(57)【要約】【課題】使用者の口を保護しながら口元を会話相手が認識可能とし、かつ使用者の呼吸が容易であるマウスシールドを提供する。【解決手段】全体が湾曲可能なシート状部材１０により形成され、シート状部材は１０、装着した使用者の少なくとも口の正面に配置されて、前記口の横方向への長さを有するシールド部２と、前記使用者の顎をカバーする位置で前記横方向に長いバンド部３と、シールド部２とバンド部３とを左右方向中央で接続する連結部４とを備え、シールド部２は、左右両方にバンド部３の両端をそれぞれ固定するバンド差込口２０を有し、連結部４は、シールド部２およびバンド部３よりも短い横幅で、シールド部２の下辺中央と、バンド部３の上辺中央とを連結する構成であり、かつ、連結部４から前記使用者側に立ちあがる顎当接部４１とを有するマウスシールドとした。【選択図】図１
2020180425.tif 000002
【特許請求の範囲】
【請求項１】
全体が湾曲可能なシート状部材により形成され、
前記シート状部材は、
装着した使用者の少なくとも口の正面に配置されて、前記口の横方向への長さを有するシールド部と、
前記使用者の顎若しくは顎下をカバーする位置で前記横方向に長いバンド部と、
前記シールド部と前記バンド部とを左右方向中央で接続する連結部とを備え、
前記シールド部は、
左右両方に前記バンド部の両端をそれぞれ固定するバンド固定部を有し、
前記連結部は、
前記連結部から前記使用者側に立ちあがる顎当接部とを有する
マウスシールド。
【請求項２】
前記連結部は、縦方向の切れ込みが左右方向に１以上設けられて当該切れ込みの左右について一部を前記顎当接部とし他部を連結基部として互いに離間可能に構成され、
前記顎当接部は、横方向の折り目をつける型である折り目ガイドが設けられ、
前記バンド固定部に前記バンド部の両端を固定すると、
前記連結基部は、前記使用者から離れる方向に凸となるよう上下方向に湾曲し、
前記顎当接部は、当該連結基部の湾曲によって前記切れ込みで分離され、前記折り目ガイドに従って折れて前記使用者に向かって凸となるよう前記連結基部から立ち上がる構成である
請求項１記載のマウスシールド。
【請求項３】
前記切れ込みは、左右に少なくとも２本が同じ長さで同じ高さに形成され、
前記折り目ガイドは、
前記切れ込みの上端同士または上端近傍同士をつなぐ上端折り目ガイドと、
前記切れ込みの下端同士または下端近傍同士をつなぐ下端折り目ガイドと、
前記上端折り目ガイドと下端折り目ガイドとの間に設けられた２つの内折り目ガイドとを有し、
前記顎当接部は、
前記上端折り目ガイドと下端折り目ガイドから各内折り目ガイドガイドまでで構成されて前記上端折り目ガイドと前記下端折り目ガイドが折れて立ち上がる脚部と、
２つの前記内折り目ガイドの間で構成されて前記使用者の顎と接触する接触平面部とを有する
請求項２記載のマウスシールド。
【請求項４】
前記バンド固定部は、
前記シールド部の左右の対象となる位置に設けられた前記横方向の切れ込みであって、
各前記横方向の切れ込みは、外端が内端よりも下方向に位置する構成である
請求項１、２、または３記載のマウスシールド。
【請求項５】
前記横方向の切れ込みは、前記シールド部の左右に対称に設けられて左右のそれぞれが上下に２ヶ所以上設けられ、
上側の各前記横方向の切れ込みは、下側の各前記横方向の切れ込みよりも前記シールドの前記横方向の端部寄りに設けられ、かつ、内端から外端までの下がり傾斜角度が下方へ傾斜した構成である
請求項４記載のマウスシールド。
【請求項６】
前記バンド部は、
前記バンド部の両端から前記バンド部の中間点より前記バンド部の両端側に近い位置の側辺に切り欠き部を有し、
前記切り欠き部と対向する側辺に突出部をさらに有する
請求項１から５いずれかに記載のマウスシールド。
【発明の詳細な説明】
【技術分野】
【０００１】
この発明は、使用者の口を保護するマウスシールドに関する。
【背景技術】
【０００２】
大気中には菌やウィルス等が存在しており、菌やウィルス等は、鼻や口等から人体に入り込み、病気をもたらすとされている。このような菌やウィルスへの対策として、鼻および口を覆うようなマスクを着用する方法が用いられている。
【０００３】
このようなマスクとしては、例えば３層構造の繊維不織布シートを折り重ねて形成したマスクが提案されている（特許文献１参照）。
【０００４】
しかし、このような繊維不織布シートで構成されたマスクは、マスクと鼻頭が密着し、鼻および口とマスクとの間に形成される空間が狭いことから呼吸がしづらいという問題もあった。
【先行技術文献】
【特許文献】
【０００５】
【特許文献１】特開２０１７−１９０５４９号公報
【発明の概要】
【発明が解決しようとする課題】
【０００６】
この発明は、上述の問題に鑑みて、使用者の口を保護でき、かつ使用者の呼吸が容易であるマウスシールドを提供することを目的とする。
【課題を解決するための手段】
【０００７】
この発明は、全体が湾曲可能なシート状部材により形成され、前記シート状部材は、装着した使用者の少なくとも口の正面に配置されて、前記口の横方向への長さを有するシールド部と、前記使用者の顎をカバーする位置で前記横方向に長いバンド部と、前記シールド部と前記バンド部とを左右方向中央で接続する連結部とを備え、前記シールド部は、左右両方に前記バンド部の両端をそれぞれ固定するバンド固定部を有し、前記連結部は、前記シールド部および前記バンド部よりも短い横幅で、前記シールド部の下辺中央と、前記バンド部の上辺中央とを連結する構成であり、かつ、前記連結部から前記使用者側に立ちあがる顎当接部とを有するマウスシールドであることを特徴とする。
【発明の効果】
【０００８】
この発明により、使用者の口を保護でき、かつ使用者の呼吸が容易であるマウスシールドを提供することができる。
【図面の簡単な説明】
【０００９】
【図１】マウスシールドの裏面斜視図。
【図２】マウスシールドの表面斜視図。
【図３】シート状部材の正面図。
【図４】シート状部材の平面図。
【図５】シート状部材の左側面図。
【図６】シート状部材の右側面図。
【発明を実施するための形態】
【００１０】
以下、この発明の一実施形態を図面と共に説明する。
【００１１】
図１は、本実施例の使用状態のマウスシールド１の裏面斜視図であり、図２は、本実施例の使用状態のマウスシールド１の表面斜視図であり、図３は、組み立て前のマウスシールド１であるシート状部材１０（マウスシールド）の正面図であり、図４はシート状部材１０の平面図であり、図５はシート状部材１０の左側面図であり、図６はシート状部材１０の右側面図である。なお、シート状部材の１０の背面図は正面図と対称に表れ、シート状部材１０の底面図は上面図と対称に表れるため省略する。
本発明のマウスシールド１は、全体が湾曲可能なシート状部材１０と、シート状部材１０に取り付けられ、使用者の耳に引っ掛ける耳掛け紐５とで構成される。
【００１２】
シート状部材１０は、全体が透明かつ湾曲可能で、所定の力を加えるまでは弾性的に変形する。このような素材としては、例えば透明な樹脂素材を使用できる。
【００１３】
シート状部材１０は、使用者が装着した際に使用者の口および鼻の正面に配置されるシールド部２と、使用者の顎をカバーするバンド部３と、シールド部２とバンド部３とを連結する連結部４とで構成される。
【００１４】
シールド部２は、横方向に長い略長方形の形状を有する。シールド部２は、左右それぞれの下方の角近傍に、耳掛け紐５を通す通し穴２３を有する。また、通し穴２３より内側にバンド差込口２０を有する。
【００１５】
シールド部２の横方向の長さは、使用者が装着した際に使用者の頬をカバーできる程度である。また、シールド部２の四角の内、下方の２ヶ所の角は、丸められた曲線形状であって、上方の２ヶ所の角は、下方の２ヶ所よりさらに大きく丸められてゆるい曲線形状を有する。シールド部２の下辺は、左右の各端部と連結部４との交点の中点付近から、上方に傾きながら中央に向かって伸びる形状を有する。そして、中央部から下方に向かって連結部４が連続して成形されている。シールド部２の上辺は、２ヶ所の角から内側に曲線状の凹部を有し、さらに中央部には、上方の２ヶ所の角よりさらに上方に曲線状に盛り上がった鼻シールド部２４を有する。すなわち、シールド部２の上辺は、３つの山を有する波形状であって、中央の山が最も高い構成である。
【００１６】
通し穴２３は、シールド部２の左右それぞれの下方の角近傍において、近接した上下に２ヶ所（左右合計で４ヶ所）備えられる。また、左右それぞれの通し穴２３は、対称となるように設けられる。使用者は、一本の耳掛け紐５の両端を左右どちらか一方の、上下に配置された通し穴２３それぞれに挿通し、挿通した耳掛け紐５の両端を結んで耳にかけられる輪っかの形態とする。
【００１７】
バンド差込口２０（切れ込み）は、上下方向に配置された同じ長さを有する２本の直線の切り込みである下方差込口２１（下方の切れ込み）と上方差込口２２（上方の切れ込み）とで構成され、左右の各通し穴２３より内側にそれぞれ備えられる。また、左右それぞれのバンド差込口２０は、対称となるように設けられる。バンド差込口２０のシールド部２における位置は、シールド部２を平面上で左右方向に四分割した際に、最も外側の平面内にあたる。
【００１８】
上下方向に配置された２本のバンド差込口２０（２１，２２）は、その切り込みが、通し穴２３すなわちシールド部２の外側に向かって下方向に傾くように設けられている。すなわち、下方差込口２１と上方差込口２２は、いずれも、一直線の切れ目であって内端よりも外端が下方に位置するように傾斜して設けられている。また、２本のバンド差込口２０の内、上方に配置された上方差込口２２は、下方に配置された下方差込口２１よりもさらにシールド部２の左右方向端部側に配置され、かつ下方向への傾きが大きい構成である。
【００１９】
バンド部３は、上辺３２と下辺３１とを有する横方向に長い帯形状であって、シールド部２の横方向の長さよりも若干短い。また、左右の端部３７は、角がそれぞれ丸められており。上辺角３５は下辺角３６より大きく丸められてゆるい曲線形状を有する。バンド部３の左右方向の長さは、左右の端部が使用者の頬付近の位置となる長さで、シールド部２の左右方向の長さと同じ長さに形成されている。
【００２０】
下辺３１は、中央部から上方に向かって連結部４が連続して成形されている。また、端部３７から内側の位置に、切り欠き部３０を有する。切り欠き部３０は、バンド部３を、下辺３１を一辺として三角形に切り抜いて形成され、下辺３１、端部３７と平行な端部３７側の端部側切り欠き辺３４、および中央側の中央側切り欠き辺３３とで構成された略直角三角形の切り抜きである。また、端部側切り欠き辺３４は、中央側切り欠き辺３３との交点からさらにバンド部３の内側に延伸した切り込み３９を有する。
【００２１】
上辺３２は、切り欠き部３０と対向する位置に凸部３８を有する。凸部３８は、外縁の中央側の角がゆるい曲線形状を有する。また、上辺３２は、凸部３８をはさんで中央側の辺より端部３７側の辺がシールド部２に近くなる。すなわち、中央側の辺の長さが、端部３７側の辺の長さよりも長い構成である。
【００２２】
連結部４は、シールド部２およびバンド部３と一体に形成され、シールド部２の下辺中央とバンド部３の上辺３２中央とを連結する構成であって、シールド部２およびバンド部３よりも短い横方向の長さを有する。
【００２３】
連結部４は、シールド部２の下辺中央とバンド部３の上辺３２の中央とを連結する。連結部４の横方向の長さは、図３に示すようなシート状部材１０を展開した状態において、シールド部２の横方向の長さの２０％程度である。本実施例のシート状部材１０は、シールド部２の横幅が２０ｃｍ、連結部４の横幅が４ｃｍである。連結部４の横方向の長さは、シールド部２の横方向の長さの４０％から１０％の範囲とすることが好ましく、３０％から１５％の範囲とすることがより好ましく、２０％とすることが好適である。また、連結部４の横方向の長さは、２ｃｍ〜８ｃｍとすることができ、３ｃｍ〜６ｃｍとすることが好ましく、３．５ｃｍ〜５ｃｍとすることが好適である。
【００２４】
また、連結部４の上下方向の長さは、図３に示すようなシート状部材１０を展開した状態において、シールド部２、連結部４、およびバンド部３を含む全体の上下方向の長さの５％程度である。本実施例のシート状部材１０は、シールド部２、連結部４、およびバンド部３を含む全体の上下方向の長さが１２．３ｃｍ、連結部４の上下方向の長さが２．４ｃｍである。連結部４の上下方向の長さは、シールド部２、連結部４、およびバンド部３を含む全体の上下方向の長さの３％から８％の範囲とすることが好ましい。
【００２５】
連結部４は、平面的に連結する連結基部４１と、バンド部３から使用者側に立ち上がって立体的に連結する顎当接部４０と、顎当接部４０と連結基部４１との左右方向の境界に位置する連結部境界切れ込み４２とを有する。
【００２６】
連結基部４１は、顎当接部４０の左右両側に左右対称に設けられており、上下方向に長く形成されている。この左右の連結基部４１は、それぞれ上端付近と下端付近が同じ幅に形成されており、中央付近が互いに内側へ向かって凸になるように幅広に形成されている。これによって、連結基部４１が上下方向に湾曲する際に、中央だけが小さく折れるように曲がることがなく、上端付近と下端付近がしっかりと湾曲することができる。したがって、連結基部４１の全体の円弧の曲率ができるだけ小さくなって大きな円弧を描くことができる。この構成が、顎当接部４０が広くゆったりと立ち上がる構成に寄与している。
【００２７】
連結部境界切れ込み４２は、連結部４に左右対称に２ヶ所設けられており、上下の端部付近は上下方向に直線であり、中央付近がそれぞれ内側に丸く突出した形状を有する。
【００２８】
顎当接部４０は、連結部４の中央付近に配置され、両側辺の中央付近が連結部境界切れ込み４２に合わせて内側に丸く凹状になる形状を有する。すなわち、顎当接部は、上端付近と下端付近が同じ幅で幅広に形成され、中央付近が幅狭に形成されている。本実施例の顎当接部は、横幅２ｃｍ、上下方向の長さ４ｃｍを有する。顎当接部４０の横幅は、連結部４の横幅の４０％から６０％の範囲とすることが好ましい。言い換えれば、顎当接部４０は、横幅を１〜３ｃｍとすることができ、上下方向の長さを２ｃｍ〜６ｃｍとすることができる。また、顎当接部４０の上下方向の長さは、連結部４の上下方向の長さよりも大きいことが好ましい。
【００２９】
顎当接部４０は、使用者がマウスシールド１装着した際に使用者の顎に当接する顎当接平面４７と、顎当接平面４７の上端とシールド部２とを接続する上脚４８と、顎当接平面４７の下端とバンド部３とを接続する下脚４９と、上脚４８とシールド部２との境界である上側谷折り部４４と、上脚４８と顎当接平面４７との境界である上側山折り部４６と、下脚４９とバンド部３との境界である下側谷折り部４３と、下脚４９と顎当接平面４７との境界である下側山折り部４５とで構成される。顎当接平面４７は、上下方向の長さが１ｃｍ〜３ｃｍとすることができ、横方向の長さが１ｃｍ〜３ｃｍとすることができ、中央の横方向の長さが０．５ｃｍ〜１．ｃｍとすることができる。本実施例の顎当接平面４７は、上下方向の長さ２ｃｍ、横方向の長さ２ｃｍであって、中央の横方向の長さが１ｃｍである。また、本実施例の上脚４８および下脚４９は、上下方向の長さが１ｃｍである。顎当接平面４７の中央が幅狭に構成されていることにより、使用者の顎への密着面積を小さくして装着による不快感を防止でき、かつ、上下端部が幅広であることにより上側山折り部４６と下側山折り部４５での折れの強度をしっかりと保つことができて、シールド部２と使用者との距離をしっかりと開ける（離間距離をしっかり保つ）ことができる。
【００３０】
上側谷折り部４４、上側山折り部４６、下側谷折り部４３、および下側山折り部４５は、シート状部材１０の成形時にあらかじめつけられた水平の折り目であり、すべてが互いに平行に形成されている。上側谷折り部４４と下側谷折り部４３は、使用者がマウスシールド１を装着した際に使用者側から見て谷折りとなる。一方、上側山折り部４６と下側山折り部４５は、使用者がマウスシールド１を装着した際に使用者側から見て山折りとなる。上側谷折り部４４および下側谷折り部４３は、３０度以上曲げて立ち上がる構成とすることができ、４５℃以上とすることが好ましく、６０度以上とすることがより好ましい。また、上側山折り部４６と下側山折り部４５は、３０度以上曲げた構成とすることができ、４５℃以上とすることが好ましく、６０度以上とすることがより好ましい。
【００３１】
なお、上側谷折り部４４は、上脚４８とシールド部２との境界に設けられているが、シールド部２でなく連結基部４１との境界に設けられていても良い。また、下側谷折り部４３は、下脚４９とバンド部３との境界に設けられているが、バンド部３ではなく連結基部４１との境界に設けられていても良い。ただし、上側谷折り部４４が上脚４８とシールド部２との境界に設けられているか、下側谷折り部４３が下脚４９とバンド部３との境界に設けられているかのどちらかを満たし、両方満たしていることが好ましい。
【００３２】
使用者は、図３に示すような平面のシート状部材１０を組み立てて、図１および図２に示すような立体のシート状部材１０を作成する。すなわち、使用者は、バンド部３の左右の端部３７をバンド部３およびシールド部２を横方向に湾曲させながらバンド差込口２０に挿通する。さらに、バンド部３は、切り欠き部３０および凸部３８によって挿通されたまま固定され、挿通されるにあたって左右それぞれの中間付近でねじれながら上下方向にも湾曲する。このとき、バンド部３は使用者側に上下方向に半分程度折り込まれるような形となり、それに従って連結部４は使用者側から離れる方向が凸となるように上下に湾曲する。ここで、使用者が、連結部４が湾曲する際または湾曲した後、顎当接平面４７を使用者側に押し込むことで、顎当接部４０が各折り目（上側谷折り部４４、上側山折り部４６、下側谷折り部４３、および下側山折り部４５）および連結部境界切れ込み４２に従って連結部４から立ち上がる。
【００３３】
バンド差込口２０のシールド部２上の位置は、シールド状部材１０を組み立てた際にバンド部３の上辺中央付近の平面、すなわちバンド部３と連結基部４１との境界近傍の平面と、シールド部２の下辺中央付近の平面、すなわちシールド部２と連結基部４１との境界近傍の平面とのなす角度が４５度以上となる位置であり、さらに６０度以上となることが好ましく、８０度以上となることがより好適である。
【００３４】
組み立てられたシート状部材１０の通し穴２３に、耳掛け紐５を挿通して輪っかに結ぶことで取り付けて作成されたマウスシールド１は、使用者が左右の耳掛け紐５を耳に引っ掛けることで装着すると、顎当接平面４７が使用者の顎と当接し、左右の耳掛け紐５および顎当接平面４７以外とは使用者の顔のいずれとも接触せず、使用者の顔とシート状部材１０との間に空間が形成される。なお、使用者の顎の輪郭形状については個人差があるため、使用者は自分の顎の広がり方に合わせて、バンド部３を挿通するバンド差込口２０を上方に配置された上方差込口２２（切れ込み）または下方に配置された下方差込口２１（下方の切れ込み）から選択する。下方差込口２１に挿通した方が上方差込口２２（上方の切れ込み）に挿通した場合と比較してバンド部３の湾曲が緩やかとなる。
【００３５】
以上の構成により、使用者の口を保護でき、かつ使用者の呼吸が容易であるマウスシールド１を提供することができる。
マウスシールド１を透明または半透明とすることにより、使用者の口を保護しながら口元を会話相手が認識可能とし、かつ使用者の呼吸が容易であるマウスシールドを提供できる。
マウスシールド１は、全体が湾曲可能な透明のシート状部材１０で構成され、後から取り付けられる耳掛け紐５以外は一体に成形されている。この構成により、平面で製造して使用時に立体にすることができるため、製造工程が簡略化され、安価に製造することができる。
【００３６】
また、横長のシールド部２とバンド部３を中央の連結部４で連結した構成であるため、シールド部２を左右方向に大きく湾曲し、バンド部３を左右方向に大きく湾曲してその両端を異シールド部２に固定して、連結部４のみ上下方向に湾曲させる立体形状を容易に実現することができる。これにより、顎当接部４０が好適に立ちあがり、顔からシールド部２およびバンド部３の距離を適切に保つことができる。したがって、顎当接部４０以外が使用者の顔に接触しない適切な立体形状を容易に実現できる。
【００３７】
また、シート状部材１０は、組み立てられた際に連結部４から使用者側に立ちあがる顎当接部４０を有する。この構成により、使用者が装着した際に顎当接部４０の顎当接平面４７が使用者の顎と当接し、シート状部材１０の顎当接平面４７以外は使用者と当接せず、一定の空間を有する。すなわち、使用者が顔の一部を動かすなどしても、顔とシート状部材１０とが接触することがない。すなわち、使用者は呼吸がしやすく、使用者の満足度を向上させることができる。
【００３８】
また、連結部４は、顎当接部４０と連結基部４１との左右の境界となる連結部境界切れ込み４２を有し、顎当接部４０は、横方向に折り目をつける型である上側谷折り部４４、上側山折り部４６、下側谷折り部４３、および下側山折り部４５を有する。この構成により、使用者がバンド差込口２０にバンド部３の端部を挿通すると、連結基部４１が使用者から離れる方向に凸となるよう上下方向に湾曲し、その湾曲に合わせて顎当接部４０が連結部境界切れ込み４２で分離される。そして使用者は、分離した顎当接部４０を上側谷折り部４４、上側山折り部４６、下側谷折り部４３、および下側山折り部４５に従って折り曲げることで、簡単に使用者に向かって凸となるよう組み立てることができる。
【００３９】
また、顎当接部４０は、山折りまたは谷折りをガイドする上側谷折り部４４、上側山折り部４６、下側谷折り部４３、および下側山折り部４５を有し、使用者がガイドに沿って折り目をつけると上脚４８、下脚４９、および顎当接平面４７が形成される。この構成により、使用者の顎を広い面で支えることができ、装着時の安定性が向上する。
【００４０】
また、バンド差込口２０は、その切り込みが、シールド部２の外側に向かって下方向に傾くように設けられている。この構成により、使用者は、バンド部３の端部をバンド差込口２０に差し込むことでバンド部３を使用者の顎の形状に合わせてゆるやかに湾曲させることができる。
【００４１】
バンド差込口２０は下方差込口２１と上方差込口２２とで構成され、上方に配置された上方差込口２２は、下方に配置された下方差込口２１よりもさらにシールド部２の左右方向端部側に配置され、かつ下方向への傾きが大きい。この構成により、上方差込口２２にバンド部３の端部を挿通した場合は、下方差込口２１にバンド部３の端部を挿通した場合よりもバンド部３の湾曲がゆるやかとなり、使用者は差込口を選択することでバンド部３の湾曲度合いを調整することができる。すなわち、使用者は、自身の顎の形状に合わせて差込口を適宜選択することができる。
【００４２】
また、下辺３１は、端部３７から内側に切り欠き部３０を有し、上辺３２は、切り欠き部３０と対向する位置に凸部３８を有する。さらに、上辺角３５および下辺角３６がそれぞれ丸められており、上辺角３５は下辺角３６より大きく丸められてゆるい曲線形状を有する。この構成により、使用者はバンド３の端部３７をバンド差込口２０に差し込む際に下辺角３６から差し込んで切り欠き部３０に引っ掛けることで、簡単にバンド３をバンド差込口２０に挿通することができる。さらに、凸部３８で過剰に挿通されることが防止されるため、切り欠き部３０と合わせてバンド３をしっかりと固定することができる。
【００４３】
また、切り欠き部３０は、バンド部の下辺３１の端部を三角形状に切り取った構成であり、さらにバンド部３の内側に延伸した切り込み３９を有する。この構成により、バンド３をよりしっかりと固定することができる。
【００４４】
また、シールド部２の上辺は、２ヶ所の角から内側に曲線状の凹部を有し、中央部には上方の２ヶ所の角よりさらに上方に曲線状に盛り上がった鼻シールド部２４を有する。この構成により、使用者が眼鏡をかけている場合であっても、鼻をカバーしながら眼鏡に接触することなく装着できる。
【００４５】
また、シールド部２の下辺は、左右の各端部と連結部４との交点の中点付近から、上方に傾きながら中央に向かって伸びる形状を有する。この構成により、シールド部２で顎の上方付近まで使用者を防護しながら、連結部４の上下方向の長さを十分に確保できる。
【００４６】
また、連結部４の横方向の長さは、シールド部２の横方向の長さの４０％から１０％の範囲とすることが好ましく、３０％から１５％の範囲とすることがより好ましく、２０％とすることを好適としている。この構成により、顎当接部４が横方向に十分な長さを確保できる。すなわち、顎当接平面の大きさを十分に確保でき、使用者がマウスシールド１を装着したときに顎に違和感を生じず、満足度を向上させることができる。
【００４７】
連結部４の上下方向の長さは、シールド部２、連結部４、およびバンド部３を含む全体の上下方向の長さの３％から８％の範囲とすることを好ましいとしている。この構成により、マウスシールド１を組み立てた際に連結部４が十分に湾曲できる範囲を確保することができ、組み立て難易度が低下させ、使用者の満足度を向上させることができる。また、シールド部２からバンド部３までの間が適切な距離となり、シールド部２またはバンド部３が使用者と接触することを防止できる。
【００４８】
また、顎当接部４０の上下方向の長さは、連結部４の上下方向の長さよりも大きく、さらに、顎当接部４０は、上側谷折り部４４が上脚４８とシールド部２との境界に設けられているか、下側谷折り部４３が下脚４９とバンド部３との境界に設けられているかのどちらかを満たす。この構成により、顎当接部４０が連結基部４１から立ち上がる高さと、顎当接平面４７の上下方向の長さとを十分に確保することができる。
【００４９】
また、バンド差込口２０は、シールド部２上において、シールド状部材１０を組み立てた際にバンド部３の上辺中央付近の平面、すなわちバンド部３と連結基部４１との境界近傍の平面と、シールド部２の下辺中央付近の平面、すなわちシールド部２と連結基部４１との境界近傍の平面とのなす角度が４５度以上となる位置に設けられる。この構成により、より使用者の顎の形状に沿ったバンド部３および連結部４の変形が可能となる。
【００５０】
また、連結部境界切れ込み４２は、連結部４に左右対称に２ヶ所設けられており、中央がそれぞれ内側に丸く凸出した形状を有する。この構成により、連結部境界切れ込み４２および各折り目（上側谷折り部４４、上側山折り部４６、下側谷折り部４３、および下側山折り部４５）に従って立ち上がった顎当接平面４７は、両側辺の中央部が凹の形状を有し、使用者の顎が当接した際に顎の形状に合わせて容易に変形することができる。
【００５１】
この発明におけるバンド固定部は、バンド差込口２０に対応し、以下同様に、
連結基部との左右の境界となる切れ込みは、連結部境界切れ込み４２に対応し、
折り目ガイドは、上側谷折り部４４、上側山折り部４６、下側谷折り部４３、および下側山折り部４５に対応し、
上端折り目ガイドは、上側谷折り部４４に対応し、
下端折り目ガイドは、下側谷折り部４３に対応し、
２つの内折り目ガイドは、上側山折り部４６および下側山折り部４５に対応し、
接触平面部は、顎当接平面４７に対応し、
脚部は、上脚４８および下脚４９に対応し、
突出部は、凸部３８に対応するが、この発明は本実施形態に限られず他の様々な実施形態とすることができる。
【００５２】
なお、この発明は、上述の実施形態の構成のみに限定されるものではなく、多くの実施の形態を得ることができる。
例えば、本実施形態では、耳掛け紐５を取り付けて使用者の両耳および顎の三点で位置を固定する形状としたが、シールド部２の左右方向長さを延伸し、左右方向の両端同士を使用者の後頭部で固定し、使用者の後頭部および顎の二点で位置を固定する形状としてもよい。
【００５３】
また、平面状の状態におけるシート状部材１０の片面または両面に適宜の印刷を施しても良い。この場合、シート状部材１０が平面で形成されているため、様々な印刷を容易に施すことができる。従って、デザイン性の高いシート状部材１０およびマウスシールド１を安価に提供することができる。
【産業上の利用可能性】
【００５４】
この発明は、使用者の口を保護するマウスシールドの製造販売の産業に利用することができる。
【符号の説明】
【００５５】
１…マウスシールド
１０…シート状部材
２…シールド部
２０…バンド差込口
３…バンド部
４…連結部
４０…顎当接部
４１…連結基部
４２…連結部境界切れ込み
４３…下側谷折り部
４４…上側谷折り部
４５…下側山折り部
４６…上側山折り部
４７…顎当接平面
４８…上脚
４９…下脚
【図１】
2020180425.tif 000003
【図２】
2020180425.tif 000004
【図３】
2020180425.tif 000005
【図４】
2020180425.tif 000006
【図５】
2020180425.tif 000007
【図６】
2020180425.tif 000008
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
全体が湾曲可能なシート状部材により形成され、
前記シート状部材は、
装着した使用者の少なくとも口の正面に配置されて、前記口の横方向への長さを有するシールド部と、
前記使用者の顎若しくは顎下をカバーする位置で前記横方向に長いバンド部と、
前記シールド部と前記バンド部とを左右方向中央で接続する連結部とを備え、
前記シールド部は、
左右両方に前記バンド部の両端をそれぞれ固定するバンド固定部を有し、
前記連結部または前記バンド部と接続されて前記使用者側に立ちあがる顎当接部とを有する
マウスシールド。
【請求項２】
前記連結部は、縦方向の切れ込みが左右方向に１以上設けられて当該切れ込みの左右について一部を前記顎当接部とし他部を連結基部として互いに離間可能に構成され、
前記顎当接部は、横方向の折り目をつける型である折り目ガイドが設けられ、
前記バンド固定部に前記バンド部の両端を固定すると、
前記連結基部は、前記使用者から離れる方向に凸となるよう上下方向に湾曲し、
前記顎当接部は、当該連結基部の湾曲によって前記切れ込みで分離され、前記折り目ガイドに従って折れて前記使用者に向かって凸となるよう前記連結基部から立ち上がる構成である
請求項１記載のマウスシールド。
【請求項３】
前記切れ込みは、左右に少なくとも２本が同じ長さで同じ高さに形成され、
前記折り目ガイドは、
前記切れ込みの上端同士または上端近傍同士をつなぐ上端折り目ガイドと、
前記切れ込みの下端同士または下端近傍同士をつなぐ下端折り目ガイドと、
前記上端折り目ガイドと下端折り目ガイドとの間に設けられた２つの内折り目ガイドとを有し、
前記顎当接部は、
前記上端折り目ガイドと下端折り目ガイドから各内折り目ガイドガイドまでで構成されて前記上端折り目ガイドと前記下端折り目ガイドが折れて立ち上がる脚部と、
２つの前記内折り目ガイドの間で構成されて前記使用者の顎と接触する接触平面部とを有する
請求項２記載のマウスシールド。
【請求項４】
前記バンド固定部は、
前記シールド部の左右の対象となる位置に設けられた前記横方向の切れ込みであって、
各前記横方向の切れ込みは、外端が内端よりも下方向に位置する構成である
請求項１、２、または３記載のマウスシールド。
【請求項５】
前記横方向の切れ込みは、前記シールド部の左右に対称に設けられて左右のそれぞれが上下に２ヶ所以上設けられ、
上側の各前記横方向の切れ込みは、下側の各前記横方向の切れ込みよりも前記シールドの前記横方向の端部寄りに設けられ、かつ、内端から外端までの下がり傾斜角度が下方へ傾斜した構成である
請求項４記載のマウスシールド。
【請求項６】
前記バンド部は、
前記バンド部の両端から前記バンド部の中間点より前記バンド部の両端側に近い位置の側辺に切り欠き部を有し、
前記切り欠き部と対向する側辺に突出部をさらに有する
請求項１から５いずれかに記載のマウスシールド。
【請求項７】
前記バンド固定部は、
前記シールド部の左右の対象となる位置に設けられた切れ込みであり、
前記バンド部は、
前記バンド部の両端から前記バンド部の中間点より前記バンド部の両端側に近い位置の側辺に切り欠き部を有し、
左右の前記切れ込みに左右の前記バンド部の前記両端をそれぞれ挿通されると、前記切り欠き部によって前記バンド部の両端が前記切れ込みに挿通されたまま固定される構成である
請求項１、２、または３記載のマウスシールド。
【請求項８】
耳掛け紐を通す通し穴を左右に有する
請求項４、５、または７記載のマウスシールド。
【手続補正２】
【補正対象書類名】明細書
【補正対象項目名】全文
【補正方法】変更
【補正の内容】
【発明の詳細な説明】
【技術分野】
【０００１】
この発明は、使用者の口を保護するマウスシールドに関する。
【背景技術】
【０００２】
大気中には菌やウィルス等が存在しており、菌やウィルス等は、鼻や口等から人体に入り込み、病気をもたらすとされている。このような菌やウィルスへの対策として、鼻および口を覆うようなマスクを着用する方法が用いられている。
【０００３】
このようなマスクとしては、例えば３層構造の繊維不織布シートを折り重ねて形成したマスクが提案されている（特許文献１参照）。
【０００４】
しかし、このような繊維不織布シートで構成されたマスクは、マスクと鼻頭が密着し、鼻および口とマスクとの間に形成される空間が狭いことから呼吸がしづらいという問題もあった。
【先行技術文献】
【特許文献】
【０００５】
【特許文献１】特開２０１７−１９０５４９号公報
【発明の概要】
【発明が解決しようとする課題】
【０００６】
この発明は、上述の問題に鑑みて、使用者の口を保護でき、かつ使用者の呼吸が容易であるマウスシールドを提供することを目的とする。
【課題を解決するための手段】
【０００７】
この発明は、全体が湾曲可能なシート状部材により形成され、前記シート状部材は、装着した使用者の少なくとも口の正面に配置されて、前記口の横方向への長さを有するシールド部と、前記使用者の顎若しくは顎下をカバーする位置で前記横方向に長いバンド部と、前記シールド部と前記バンド部とを左右方向中央で接続する連結部とを備え、前記シールド部は、左右両方に前記バンド部の両端をそれぞれ固定するバンド固定部を有し、前記連結部または前記バンド部と接続されて前記使用者側に立ちあがる顎当接部とを有するマウスシールドであることを特徴とする。
【発明の効果】
【０００８】
この発明により、使用者の口を保護でき、かつ使用者の呼吸が容易であるマウスシールドを提供することができる。
【図面の簡単な説明】
【０００９】
【図１】マウスシールドの裏面斜視図。
【図２】マウスシールドの表面斜視図。
【図３】シート状部材の正面図。
【図４】シート状部材の平面図。
【図５】シート状部材の左側面図。
【図６】シート状部材の右側面図。
【発明を実施するための形態】
【００１０】
以下、この発明の一実施形態を図面と共に説明する。
【００１１】
図１は、本実施例の使用状態のマウスシールド１の裏面斜視図であり、図２は、本実施例の使用状態のマウスシールド１の表面斜視図であり、図３は、組み立て前のマウスシールド１であるシート状部材１０（マウスシールド）の正面図であり、図４はシート状部材１０の平面図であり、図５はシート状部材１０の左側面図であり、図６はシート状部材１０の右側面図である。なお、シート状部材の１０の背面図は正面図と対称に表れ、シート状部材１０の底面図は上面図と対称に表れるため省略する。
本発明のマウスシールド１は、全体が湾曲可能なシート状部材１０と、シート状部材１０に取り付けられ、使用者の耳に引っ掛ける耳掛け紐５とで構成される。
【００１２】
シート状部材１０は、全体が透明かつ湾曲可能で、所定の力を加えるまでは弾性的に変形する。このような素材としては、例えば透明な樹脂素材を使用できる。
【００１３】
シート状部材１０は、使用者が装着した際に使用者の口および鼻の正面に配置されるシールド部２と、使用者の顎をカバーするバンド部３と、シールド部２とバンド部３とを連結する連結部４とで構成される。
【００１４】
シールド部２は、横方向に長い略長方形の形状を有する。シールド部２は、左右それぞれの下方の角近傍に、耳掛け紐５を通す通し穴２３を有する。また、通し穴２３より内側にバンド差込口２０を有する。
【００１５】
シールド部２の横方向の長さは、使用者が装着した際に使用者の頬をカバーできる程度である。また、シールド部２の四角の内、下方の２ヶ所の角は、丸められた曲線形状であって、上方の２ヶ所の角は、下方の２ヶ所よりさらに大きく丸められてゆるい曲線形状を有する。シールド部２の下辺は、左右の各端部と連結部４との交点の中点付近から、上方に傾きながら中央に向かって伸びる形状を有する。そして、中央部から下方に向かって連結部４が連続して成形されている。シールド部２の上辺は、２ヶ所の角から内側に曲線状の凹部を有し、さらに中央部には、上方の２ヶ所の角よりさらに上方に曲線状に盛り上がった鼻シールド部２４を有する。すなわち、シールド部２の上辺は、３つの山を有する波形状であって、中央の山が最も高い構成である。
【００１６】
通し穴２３は、シールド部２の左右それぞれの下方の角近傍において、近接した上下に２ヶ所（左右合計で４ヶ所）備えられる。また、左右それぞれの通し穴２３は、対称となるように設けられる。使用者は、一本の耳掛け紐５の両端を左右どちらか一方の、上下に配置された通し穴２３それぞれに挿通し、挿通した耳掛け紐５の両端を結んで耳にかけられる輪っかの形態とする。
【００１７】
バンド差込口２０（切れ込み）は、上下方向に配置された同じ長さを有する２本の直線の切り込みである下方差込口２１（下方の切れ込み）と上方差込口２２（上方の切れ込み）とで構成され、左右の各通し穴２３より内側にそれぞれ備えられる。また、左右それぞれのバンド差込口２０は、対称となるように設けられる。バンド差込口２０のシールド部２における位置は、シールド部２を平面上で左右方向に四分割した際に、最も外側の平面内にあたる。
【００１８】
上下方向に配置された２本のバンド差込口２０（２１，２２）は、その切り込みが、通し穴２３すなわちシールド部２の外側に向かって下方向に傾くように設けられている。すなわち、下方差込口２１と上方差込口２２は、いずれも、一直線の切れ目であって内端よりも外端が下方に位置するように傾斜して設けられている。また、２本のバンド差込口２０の内、上方に配置された上方差込口２２は、下方に配置された下方差込口２１よりもさらにシールド部２の左右方向端部側に配置され、かつ下方向への傾きが大きい構成である。
【００１９】
バンド部３は、上辺３２と下辺３１とを有する横方向に長い帯形状であって、シールド部２の横方向の長さよりも若干短い。また、左右の端部３７は、角がそれぞれ丸められており。上辺角３５は下辺角３６より大きく丸められてゆるい曲線形状を有する。バンド部３の左右方向の長さは、左右の端部が使用者の頬付近の位置となる長さで、シールド部２の左右方向の長さと同じ長さに形成されている。
【００２０】
下辺３１は、中央部から上方に向かって連結部４が連続して成形されている。また、端部３７から内側の位置に、切り欠き部３０を有する。切り欠き部３０は、バンド部３を、下辺３１を一辺として三角形に切り抜いて形成され、下辺３１、端部３７と平行な端部３７側の端部側切り欠き辺３４、および中央側の中央側切り欠き辺３３とで構成された略直角三角形の切り抜きである。また、端部側切り欠き辺３４は、中央側切り欠き辺３３との交点からさらにバンド部３の内側に延伸した切り込み３９を有する。
【００２１】
上辺３２は、切り欠き部３０と対向する位置に凸部３８を有する。凸部３８は、外縁の中央側の角がゆるい曲線形状を有する。また、上辺３２は、凸部３８をはさんで中央側の辺より端部３７側の辺がシールド部２に近くなる。すなわち、中央側の辺の長さが、端部３７側の辺の長さよりも長い構成である。
【００２２】
連結部４は、シールド部２およびバンド部３と一体に形成され、シールド部２の下辺中央とバンド部３の上辺３２中央とを連結する構成であって、シールド部２およびバンド部３よりも短い横方向の長さを有する。
【００２３】
連結部４は、シールド部２の下辺中央とバンド部３の上辺３２の中央とを連結する。連結部４の横方向の長さは、図３に示すようなシート状部材１０を展開した状態において、シールド部２の横方向の長さの２０％程度である。本実施例のシート状部材１０は、シールド部２の横幅が２０ｃｍ、連結部４の横幅が４ｃｍである。連結部４の横方向の長さは、シールド部２の横方向の長さの４０％から１０％の範囲とすることが好ましく、３０％から１５％の範囲とすることがより好ましく、２０％とすることが好適である。また、連結部４の横方向の長さは、２ｃｍ〜８ｃｍとすることができ、３ｃｍ〜６ｃｍとすることが好ましく、３．５ｃｍ〜５ｃｍとすることが好適である。
【００２４】
また、連結部４の上下方向の長さは、図３に示すようなシート状部材１０を展開した状態において、シールド部２、連結部４、およびバンド部３を含む全体の上下方向の長さの５％程度である。本実施例のシート状部材１０は、シールド部２、連結部４、およびバンド部３を含む全体の上下方向の長さが１２．３ｃｍ、連結部４の上下方向の長さが２．４ｃｍである。連結部４の上下方向の長さは、シールド部２、連結部４、およびバンド部３を含む全体の上下方向の長さの３％から８％の範囲とすることが好ましい。
【００２５】
連結部４は、平面的に連結する連結基部４１と、バンド部３から使用者側に立ち上がって立体的に連結する顎当接部４０と、顎当接部４０と連結基部４１との左右方向の境界に位置する連結部境界切れ込み４２とを有する。
【００２６】
連結基部４１は、顎当接部４０の左右両側に左右対称に設けられており、上下方向に長く形成されている。この左右の連結基部４１は、それぞれ上端付近と下端付近が同じ幅に形成されており、中央付近が互いに内側へ向かって凸になるように幅広に形成されている。これによって、連結基部４１が上下方向に湾曲する際に、中央だけが小さく折れるように曲がることがなく、上端付近と下端付近がしっかりと湾曲することができる。したがって、連結基部４１の全体の円弧の曲率ができるだけ小さくなって大きな円弧を描くことができる。この構成が、顎当接部４０が広くゆったりと立ち上がる構成に寄与している。
【００２７】
連結部境界切れ込み４２は、連結部４に左右対称に２ヶ所設けられており、上下の端部付近は上下方向に直線であり、中央付近がそれぞれ内側に丸く突出した形状を有する。
【００２８】
顎当接部４０は、連結部４の中央付近に配置され、両側辺の中央付近が連結部境界切れ込み４２に合わせて内側に丸く凹状になる形状を有する。すなわち、顎当接部は、上端付近と下端付近が同じ幅で幅広に形成され、中央付近が幅狭に形成されている。本実施例の顎当接部は、横幅２ｃｍ、上下方向の長さ４ｃｍを有する。顎当接部４０の横幅は、連結部４の横幅の４０％から６０％の範囲とすることが好ましい。言い換えれば、顎当接部４０は、横幅を１〜３ｃｍとすることができ、上下方向の長さを２ｃｍ〜６ｃｍとすることができる。また、顎当接部４０の上下方向の長さは、連結部４の上下方向の長さよりも大きいことが好ましい。
【００２９】
顎当接部４０は、使用者がマウスシールド１装着した際に使用者の顎に当接する顎当接平面４７と、顎当接平面４７の上端とシールド部２とを接続する上脚４８と、顎当接平面４７の下端とバンド部３とを接続する下脚４９と、上脚４８とシールド部２との境界である上側谷折り部４４と、上脚４８と顎当接平面４７との境界である上側山折り部４６と、下脚４９とバンド部３との境界である下側谷折り部４３と、下脚４９と顎当接平面４７との境界である下側山折り部４５とで構成される。顎当接平面４７は、上下方向の長さが１ｃｍ〜３ｃｍとすることができ、横方向の長さが１ｃｍ〜３ｃｍとすることができ、中央の横方向の長さが０．５ｃｍ〜１．ｃｍとすることができる。本実施例の顎当接平面４７は、上下方向の長さ２ｃｍ、横方向の長さ２ｃｍであって、中央の横方向の長さが１ｃｍである。また、本実施例の上脚４８および下脚４９は、上下方向の長さが１ｃｍである。顎当接平面４７の中央が幅狭に構成されていることにより、使用者の顎への密着面積を小さくして装着による不快感を防止でき、かつ、上下端部が幅広であることにより上側山折り部４６と下側山折り部４５での折れの強度をしっかりと保つことができて、シールド部２と使用者との距離をしっかりと開ける（離間距離をしっかり保つ）ことができる。
【００３０】
上側谷折り部４４、上側山折り部４６、下側谷折り部４３、および下側山折り部４５は、シート状部材１０の成形時にあらかじめつけられた水平の折り目であり、すべてが互いに平行に形成されている。上側谷折り部４４と下側谷折り部４３は、使用者がマウスシールド１を装着した際に使用者側から見て谷折りとなる。一方、上側山折り部４６と下側山折り部４５は、使用者がマウスシールド１を装着した際に使用者側から見て山折りとなる。上側谷折り部４４および下側谷折り部４３は、３０度以上曲げて立ち上がる構成とすることができ、４５℃以上とすることが好ましく、６０度以上とすることがより好ましい。また、上側山折り部４６と下側山折り部４５は、３０度以上曲げた構成とすることができ、４５℃以上とすることが好ましく、６０度以上とすることがより好ましい。
【００３１】
なお、上側谷折り部４４は、上脚４８とシールド部２との境界に設けられているが、シールド部２でなく連結基部４１との境界に設けられていても良い。また、下側谷折り部４３は、下脚４９とバンド部３との境界に設けられているが、バンド部３ではなく連結基部４１との境界に設けられていても良い。ただし、上側谷折り部４４が上脚４８とシールド部２との境界に設けられているか、下側谷折り部４３が下脚４９とバンド部３との境界に設けられているかのどちらかを満たし、両方満たしていることが好ましい。
【００３２】
使用者は、図３に示すような平面のシート状部材１０を組み立てて、図１および図２に示すような立体のシート状部材１０を作成する。すなわち、使用者は、バンド部３の左右の端部３７をバンド部３およびシールド部２を横方向に湾曲させながらバンド差込口２０に挿通する。さらに、バンド部３は、切り欠き部３０および凸部３８によって挿通されたまま固定され、挿通されるにあたって左右それぞれの中間付近でねじれながら上下方向にも湾曲する。このとき、バンド部３は使用者側に上下方向に半分程度折り込まれるような形となり、それに従って連結部４は使用者側から離れる方向が凸となるように上下に湾曲する。ここで、使用者が、連結部４が湾曲する際または湾曲した後、顎当接平面４７を使用者側に押し込むことで、顎当接部４０が各折り目（上側谷折り部４４、上側山折り部４６、下側谷折り部４３、および下側山折り部４５）および連結部境界切れ込み４２に従って連結部４から立ち上がる。
【００３３】
バンド差込口２０のシールド部２上の位置は、シールド状部材１０を組み立てた際にバンド部３の上辺中央付近の平面、すなわちバンド部３と連結基部４１との境界近傍の平面と、シールド部２の下辺中央付近の平面、すなわちシールド部２と連結基部４１との境界近傍の平面とのなす角度が４５度以上となる位置であり、さらに６０度以上となることが好ましく、８０度以上となることがより好適である。
【００３４】
組み立てられたシート状部材１０の通し穴２３に、耳掛け紐５を挿通して輪っかに結ぶことで取り付けて作成されたマウスシールド１は、使用者が左右の耳掛け紐５を耳に引っ掛けることで装着すると、顎当接平面４７が使用者の顎と当接し、左右の耳掛け紐５および顎当接平面４７以外とは使用者の顔のいずれとも接触せず、使用者の顔とシート状部材１０との間に空間が形成される。なお、使用者の顎の輪郭形状については個人差があるため、使用者は自分の顎の広がり方に合わせて、バンド部３を挿通するバンド差込口２０を上方に配置された上方差込口２２（切れ込み）または下方に配置された下方差込口２１（下方の切れ込み）から選択する。下方差込口２１に挿通した方が上方差込口２２（上方の切れ込み）に挿通した場合と比較してバンド部３の湾曲が緩やかとなる。
【００３５】
以上の構成により、使用者の口を保護でき、かつ使用者の呼吸が容易であるマウスシールド１を提供することができる。
マウスシールド１を透明または半透明とすることにより、使用者の口を保護しながら口元を会話相手が認識可能とし、かつ使用者の呼吸が容易であるマウスシールドを提供できる。
マウスシールド１は、全体が湾曲可能な透明のシート状部材１０で構成され、後から取り付けられる耳掛け紐５以外は一体に成形されている。この構成により、平面で製造して使用時に立体にすることができるため、製造工程が簡略化され、安価に製造することができる。
【００３６】
また、横長のシールド部２とバンド部３を中央の連結部４で連結した構成であるため、シールド部２を左右方向に大きく湾曲し、バンド部３を左右方向に大きく湾曲してその両端を異シールド部２に固定して、連結部４のみ上下方向に湾曲させる立体形状を容易に実現することができる。これにより、顎当接部４０が好適に立ちあがり、顔からシールド部２およびバンド部３の距離を適切に保つことができる。したがって、顎当接部４０以外が使用者の顔に接触しない適切な立体形状を容易に実現できる。
【００３７】
また、シート状部材１０は、組み立てられた際に連結部４から使用者側に立ちあがる顎当接部４０を有する。この構成により、使用者が装着した際に顎当接部４０の顎当接平面４７が使用者の顎と当接し、シート状部材１０の顎当接平面４７以外は使用者と当接せず、一定の空間を有する。すなわち、使用者が顔の一部を動かすなどしても、顔とシート状部材１０とが接触することがない。すなわち、使用者は呼吸がしやすく、使用者の満足度を向上させることができる。
【００３８】
また、連結部４は、顎当接部４０と連結基部４１との左右の境界となる連結部境界切れ込み４２を有し、顎当接部４０は、横方向に折り目をつける型である上側谷折り部４４、上側山折り部４６、下側谷折り部４３、および下側山折り部４５を有する。この構成により、使用者がバンド差込口２０にバンド部３の端部を挿通すると、連結基部４１が使用者から離れる方向に凸となるよう上下方向に湾曲し、その湾曲に合わせて顎当接部４０が連結部境界切れ込み４２で分離される。そして使用者は、分離した顎当接部４０を上側谷折り部４４、上側山折り部４６、下側谷折り部４３、および下側山折り部４５に従って折り曲げることで、簡単に使用者に向かって凸となるよう組み立てることができる。
【００３９】
また、顎当接部４０は、山折りまたは谷折りをガイドする上側谷折り部４４、上側山折り部４６、下側谷折り部４３、および下側山折り部４５を有し、使用者がガイドに沿って折り目をつけると上脚４８、下脚４９、および顎当接平面４７が形成される。この構成により、使用者の顎を広い面で支えることができ、装着時の安定性が向上する。
【００４０】
また、バンド差込口２０は、その切り込みが、シールド部２の外側に向かって下方向に傾くように設けられている。この構成により、使用者は、バンド部３の端部をバンド差込口２０に差し込むことでバンド部３を使用者の顎の形状に合わせてゆるやかに湾曲させることができる。
【００４１】
バンド差込口２０は下方差込口２１と上方差込口２２とで構成され、上方に配置された上方差込口２２は、下方に配置された下方差込口２１よりもさらにシールド部２の左右方向端部側に配置され、かつ下方向への傾きが大きい。この構成により、上方差込口２２にバンド部３の端部を挿通した場合は、下方差込口２１にバンド部３の端部を挿通した場合よりもバンド部３の湾曲がゆるやかとなり、使用者は差込口を選択することでバンド部３の湾曲度合いを調整することができる。すなわち、使用者は、自身の顎の形状に合わせて差込口を適宜選択することができる。
【００４２】
また、下辺３１は、端部３７から内側に切り欠き部３０を有し、上辺３２は、切り欠き部３０と対向する位置に凸部３８を有する。さらに、上辺角３５および下辺角３６がそれぞれ丸められており、上辺角３５は下辺角３６より大きく丸められてゆるい曲線形状を有する。この構成により、使用者はバンド３の端部３７をバンド差込口２０に差し込む際に下辺角３６から差し込んで切り欠き部３０に引っ掛けることで、簡単にバンド３をバンド差込口２０に挿通することができる。さらに、凸部３８で過剰に挿通されることが防止されるため、切り欠き部３０と合わせてバンド３をしっかりと固定することができる。
【００４３】
また、切り欠き部３０は、バンド部の下辺３１の端部を三角形状に切り取った構成であり、さらにバンド部３の内側に延伸した切り込み３９を有する。この構成により、バンド３をよりしっかりと固定することができる。
【００４４】
また、シールド部２の上辺は、２ヶ所の角から内側に曲線状の凹部を有し、中央部には上方の２ヶ所の角よりさらに上方に曲線状に盛り上がった鼻シールド部２４を有する。この構成により、使用者が眼鏡をかけている場合であっても、鼻をカバーしながら眼鏡に接触することなく装着できる。
【００４５】
また、シールド部２の下辺は、左右の各端部と連結部４との交点の中点付近から、上方に傾きながら中央に向かって伸びる形状を有する。この構成により、シールド部２で顎の上方付近まで使用者を防護しながら、連結部４の上下方向の長さを十分に確保できる。
【００４６】
また、連結部４の横方向の長さは、シールド部２の横方向の長さの４０％から１０％の範囲とすることが好ましく、３０％から１５％の範囲とすることがより好ましく、２０％とすることを好適としている。この構成により、顎当接部４が横方向に十分な長さを確保できる。すなわち、顎当接平面の大きさを十分に確保でき、使用者がマウスシールド１を装着したときに顎に違和感を生じず、満足度を向上させることができる。
【００４７】
連結部４の上下方向の長さは、シールド部２、連結部４、およびバンド部３を含む全体の上下方向の長さの３％から８％の範囲とすることを好ましいとしている。この構成により、マウスシールド１を組み立てた際に連結部４が十分に湾曲できる範囲を確保することができ、組み立て難易度が低下させ、使用者の満足度を向上させることができる。また、シールド部２からバンド部３までの間が適切な距離となり、シールド部２またはバンド部３が使用者と接触することを防止できる。
【００４８】
また、顎当接部４０の上下方向の長さは、連結部４の上下方向の長さよりも大きく、さらに、顎当接部４０は、上側谷折り部４４が上脚４８とシールド部２との境界に設けられているか、下側谷折り部４３が下脚４９とバンド部３との境界に設けられているかのどちらかを満たす。この構成により、顎当接部４０が連結基部４１から立ち上がる高さと、顎当接平面４７の上下方向の長さとを十分に確保することができる。
【００４９】
また、バンド差込口２０は、シールド部２上において、シールド状部材１０を組み立てた際にバンド部３の上辺中央付近の平面、すなわちバンド部３と連結基部４１との境界近傍の平面と、シールド部２の下辺中央付近の平面、すなわちシールド部２と連結基部４１との境界近傍の平面とのなす角度が４５度以上となる位置に設けられる。この構成により、より使用者の顎の形状に沿ったバンド部３および連結部４の変形が可能となる。
【００５０】
また、連結部境界切れ込み４２は、連結部４に左右対称に２ヶ所設けられており、中央がそれぞれ内側に丸く凸出した形状を有する。この構成により、連結部境界切れ込み４２および各折り目（上側谷折り部４４、上側山折り部４６、下側谷折り部４３、および下側山折り部４５）に従って立ち上がった顎当接平面４７は、両側辺の中央部が凹の形状を有し、使用者の顎が当接した際に顎の形状に合わせて容易に変形することができる。
【００５１】
この発明におけるバンド固定部は、バンド差込口２０に対応し、以下同様に、
連結基部との左右の境界となる切れ込みは、連結部境界切れ込み４２に対応し、
折り目ガイドは、上側谷折り部４４、上側山折り部４６、下側谷折り部４３、および下側山折り部４５に対応し、
上端折り目ガイドは、上側谷折り部４４に対応し、
下端折り目ガイドは、下側谷折り部４３に対応し、
２つの内折り目ガイドは、上側山折り部４６および下側山折り部４５に対応し、
接触平面部は、顎当接平面４７に対応し、
脚部は、上脚４８および下脚４９に対応し、
突出部は、凸部３８に対応するが、この発明は本実施形態に限られず他の様々な実施形態とすることができる。
【００５２】
なお、この発明は、上述の実施形態の構成のみに限定されるものではなく、多くの実施の形態を得ることができる。
例えば、本実施形態では、耳掛け紐５を取り付けて使用者の両耳および顎の三点で位置を固定する形状としたが、シールド部２の左右方向長さを延伸し、左右方向の両端同士を使用者の後頭部で固定し、使用者の後頭部および顎の二点で位置を固定する形状としてもよい。
【００５３】
また、平面状の状態におけるシート状部材１０の片面または両面に適宜の印刷を施しても良い。この場合、シート状部材１０が平面で形成されているため、様々な印刷を容易に施すことができる。従って、デザイン性の高いシート状部材１０およびマウスシールド１を安価に提供することができる。
【産業上の利用可能性】
【００５４】
この発明は、使用者の口を保護するマウスシールドの製造販売の産業に利用することができる。
【符号の説明】
【００５５】
１…マウスシールド
１０…シート状部材
２…シールド部
２０…バンド差込口
３…バンド部
４…連結部
４０…顎当接部
４１…連結基部
４２…連結部境界切れ込み
４３…下側谷折り部
４４…上側谷折り部
４５…下側山折り部
４６…上側山折り部
４７…顎当接平面
４８…上脚
４９…下脚